【手続補正書】
【提出日】平成19年2月7日(2007.2.7)
【手続補正１】
【補正対象書類名】明細書
【補正対象項目名】特許請求の範囲
【補正方法】変更
【補正の内容】
【特許請求の範囲】
【請求項１】  コンテンツのデータを暗号化せずに配置する平文データ部と、上記コンテンツのデータを暗号化して配置する暗号化データ部とを設け、
上記平文データ部では上記コンテンツのデータを暗号化せずに配置し、上記暗号化データ部では上記コンテンツのデータを暗号化して配置すると共に、
上記暗号化したデータを復号するための情報の少なくとも一部を、上記平文データ部におけるコンテンツのデータに付加情報として埋め込む
ようにしたコンテンツデータ。
【請求項２】  コンテンツのデータを少なくとも第１の情報では暗号化せずに配置する平文データ部と、上記コンテンツのデータを少なくとも第１の情報の一部を使って暗号化して配置する暗号化データ部とを設け、
上記平文データ部では上記コンテンツのデータを少なくとも第１の情報では暗号化せずに配置し、上記暗号化データ部では上記コンテンツのデータを上記第１の情報と第２の情報とを関連させて暗号化して配置すると共に、
上記暗号化されたデータを復号するための上記第１の情報の少なくとも一部を、上記平文データ部におけるコンテンツのデータに付加情報として埋め込む
ようにしたコンテンツデータ。
【請求項３】  コンテンツのデータを少なくとも第１の情報では暗号化せずに配置する平文データ部と、上記コンテンツのデータを少なくとも第１の情報の一部を使って暗号化して配置する暗号化データ部とを設け、
上記平文データ部では上記コンテンツのデータを第２の情報で暗号化して配置し、上記暗号化データ部では上記コンテンツのデータを少なくとも上記第１の情報及び／又は第２の情報で暗号化して配置すると共に、
上記第１の情報で暗号化したデータを復号するための情報の少なくとも一部を、上記平文データ部におけるコンテンツのデータに付加情報として埋め込む
ようにしたコンテンツデータ。
【請求項４】  コンテンツのデータを暗号化して配置する暗号化データ部と、上記暗号化データ部に先行する無情報データ部とを設け、
上記平文データ部には上記コンテンツのデータを暗号化せずに配置し、
上記無情報データ部に、上記暗号化したデータを復号するための情報の少なくとも一部を付加情報として埋め込む
ようにしたコンテンツデータ。
【請求項５】  コンテンツのデータを暗号化せずに記録する平文データ部と、上記コンテンツのデータを暗号化して記録する暗号化データ部とを設け、
上記平文データ部では上記コンテンツのデータを暗号化せずに記録し、上記暗号化データ部では上記コンテンツのデータを暗号化して記録すると共に、
上記暗号化したデータを復号するための情報の少なくとも一部を、上記平文データ部におけるコンテンツのデータに付加情報として埋め込む
ようにしたデータ記録媒体。
【請求項６】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを少なくとも第１の情報では暗号化せずに記録し、上記暗号化データ部では上記コンテンツのデータを上記第１の情報と第２の情報とを関連させて暗号化して記録すると共に、
上記暗号化されたデータを復号するための上記第１の情報の少なくとも一部を、上記平文データ部におけるコンテンツのデータに付加情報として埋め込む
ようにしたデータ記録媒体。
【請求項７】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを第２の情報で暗号化して記録し、上記暗号化データ部では上記コンテンツのデータを少なくとも上記第１の情報及び／又は第２の情報で暗号化して記録すると共に、
上記第１の情報で暗号化したデータを復号するための情報の少なくとも一部を、上記平文データ部におけるコンテンツのデータに付加情報として埋め込む
ようにしたデータ記録媒体。
【請求項８】  コンテンツのデータを暗号化して記録する暗号化データ部と、上記暗号化データ部に先行する無情報データ部とを設け、
上記無情報データ部に、上記暗号化したデータを復号するための情報の少なくとも一部を付加情報として埋め込む
ようにしたデータ記録媒体。
【請求項９】  コンテンツのデータを暗号化せずに記録する平文データ部と、上記コンテンツのデータを暗号化して記録する暗号化データ部とを設け、
上記平文データ部では上記コンテンツのデータを暗号化せずに記録し、上記暗号化データ部では上記コンテンツのデータを暗号化して記録すると共に、
上記暗号化したデータを復号するための情報の少なくとも一部を、上記平文データ部におけるコンテンツのデータに付加情報として埋め込む
ようにしたデータ記録方法。
【請求項１０】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを少なくとも第１の情報では暗号化せずに記録し、上記暗号化データ部では上記コンテンツのデータを上記第１の情報と第２の情報とを関連させて暗号化して記録すると共に、
上記暗号化されたデータを復号するための上記第１の情報の少なくとも一部を、上記平文データ部におけるコンテンツのデータに付加情報として埋め込む
ようにしたデータ記録方法。
【請求項１１】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを第２の情報で暗号化して記録し、上記暗号化データ部では上記コンテンツのデータを少なくとも上記第１の情報及び／又は第２の情報で暗号化して記録すると共に、
上記第１の情報で暗号化したデータを復号するための情報の少なくとも一部を、上記平文データ部におけるコンテンツのデータに付加情報として埋め込む
ようにしたデータ記録方法。
【請求項１２】  コンテンツのデータを暗号化して記録する暗号化データ部と、上記暗号化データ部に先行する無情報データ部とを設け、
上記無情報データ部に、上記暗号化したデータを復号するための情報の少なくとも一部を付加情報として埋め込む
ようにしたデータ記録方法。
【請求項１３】  コンテンツのデータを暗号化せずに記録する平文データ部と、上記コンテンツのデータを暗号化して記録する暗号化データ部とを設け、
上記平文データ部では上記コンテンツのデータを暗号化せずに記録し、上記暗号化データ部では上記コンテンツのデータを暗号化して記録する手段と、
上記暗号化したデータを復号するための情報の少なくとも一部を、上記平文データ部におけるコンテンツのデータに付加情報として埋め込む手段と
を備えるようにしたデータ記録装置。
【請求項１４】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを少なくとも第１の情報では暗号化せずに記録し、上記暗号化データ部では上記コンテンツのデータを上記第１の情報と第２の情報とを関連させて暗号化して記録する手段と、
上記暗号化されたデータを復号するための上記第１の情報の少なくとも一部を、上記平文データ部におけるコンテンツのデータに付加情報として埋め込む手段と
を備えるようにしたデータ記録装置。
【請求項１５】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを第２の情報で暗号化して記録し、上記暗号化データ部では上記コンテンツのデータを少なくとも上記第１の情報及び／又は第２の情報で暗号化して記録する手段と、
上記第１の情報で暗号化したデータを復号するための情報の少なくとも一部を、上記平文データ部におけるコンテンツのデータに付加情報として埋め込む手段と
を備えるようにしたデータ記録装置。
【請求項１６】  上記平文データ部は、上記暗号化データ部に先行して設けるようにした請求項１３、請求項１４又は請求項１５に記載のデータ記録装置。
【請求項１７】  上記平文データ部は、上記コンテンツのデータ部の先頭に設けるようにした請求項１３、請求項１４又は請求項１５に記載のデータ記録装置。
【請求項１８】  上記付加情報は、スペクトラム拡散されて、上記コンテンツのデータ中に重畳されるようにした請求項１３、請求項１４又は請求項１５に記載のデータ記録装置。
【請求項１９】  上記付加情報は、上記コンテンツのデータの下位ビットに挿入されるようした請求項１３、請求項１４又は請求項１５に記載のデータ記録装置。
【請求項２０】  上記付加情報は、上記コンテンツのデータを圧縮したときの高次係数に挿入されるようにした請求項１３、請求項１４又は請求項１５に記載のデータ記録装置。
【請求項２１】  上記付加情報は、マスキング効果を利用して上記コンテンツに影響を与えないように挿入されるようにした請求項１３、請求項１４又は請求項１５に記載のデータ記録装置。
【請求項２２】  上記付加情報は、所定範囲の第１のピーク若しくは上記第２のピーク、又はその近傍に挿入されるようにした請求項１３、請求項１４又は請求項１５に記載のデータ記録装置。
【請求項２３】  上記付加情報には、コピー管理情報及び／又は再生管理情報を含めるようにした請求項１３、請求項１４又は請求項１５に記載のデータ記録装置。
【請求項２４】  上記第２の情報で暗号化したデータを復号するための情報は、サブコードの領域に記録されている請求項１４又は請求項１５に記載のデータ記録装置。
【請求項２５】  上記第２の情報で暗号化したデータを復号するための情報は、リードインに記録されている請求項１４又は請求項１５に記載のデータ記録装置。
【請求項２６】  上記第２の情報で暗号化したデータを復号するための情報は、ＴＯＣ（Table Of Contents）に記録されている請求項１４又は請求項１５に記載のデータ記録装置。
【請求項２７】  上記第２の情報で暗号化したデータを復号するための情報は、トラック又はピットのウォブルデータとして記録されている請求項１４又は請求項１５に記載のデータ記録装置。
【請求項２８】  上記平文データ部には、ユーザに必ず知らせておきたい情報を記録するようにした請求項１３、請求項１４又は請求項１５に記載のデータ記録装置。
【請求項２９】  上記ユーザに必ず知らせておきたい情報は、著作権者についての情報である請求項１３、請求項１４又は請求項１５に記載のデータ記録装置。
【請求項３０】  上記ユーザに必ず知らせておきたい情報は、コンテンツの紹介する情報である請求項１３、請求項１４又は請求項１５に記載のデータ記録装置。
【請求項３１】  上記ユーザに必ず知らせておきたい情報は、注意や警告を示す情報である請求項１３、請求項１４又は請求項１５に記載のデータ記録装置。
【請求項３２】  上記ユーザに必ず知らせておきたい情報は、コマーシャル情報である請求項１３、請求項１４又は請求項１５に記載のデータ記録装置。
【請求項３３】  コンテンツのデータを暗号化して配置する暗号化データ部と、上記暗号化データ部に先行する無情報データ部とを設け、
上記無情報データ部に、上記暗号化したデータを復号するための情報の少なくとも一部を付加情報として埋め込む
ようにしたデータ記録装置。
【請求項３４】  上記無情報データ部には、無音に相当するオーディオデータを配置するようにした請求項３３に記載のデータ記録装置。
【請求項３５】  上記無情報データ部には、固定パターンに相当するビデオデータを配置するようにした請求項３３に記載のデータ記録装置。
【請求項３６】  上記無情報データ部には、ランダムパターンに相当するビデオデータを配置するようにした請求項３３に記載のデータ記録装置。
【請求項３７】  コンテンツのデータを暗号化せずに記録する平文データ部と、上記コンテンツのデータを暗号化して記録する暗号化データ部とを設け、
上記平文データ部では上記コンテンツのデータを暗号化せずに記録し、上記暗号化データ部では上記コンテンツのデータを暗号化して記録すると共に、
上記暗号化したデータを復号するための情報の少なくとも一部を、上記平文データ部におけるコンテンツのデータに付加情報として埋め込む
ようにしたデータ記録媒体を再生するデータ再生方法であって、
上記付加情報から暗号化したデータを復号するための情報の少なくとも一部を抜き出し、
上記暗号化したデータを復号するための情報を使って、上記コンテンツのデータを復号化する
ようにしたデータ再生方法。
【請求項３８】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを少なくとも第１の情報では暗号化せずに記録し、上記暗号化データ部では上記コンテンツのデータを上記第１の情報と第２の情報とを関連させて暗号化して記録すると共に、
上記暗号化されたデータを復号するための上記第１の情報の少なくとも一部を、上記平文データ部におけるコンテンツのデータに付加情報として埋め込む
ようにしたデータ記録媒体を再生するデータ再生方法であって、
上記付加情報から暗号化したデータを復号するための第１の情報の少なくとも一部を抜き出し、
上記暗号化したデータを復号するための第１の情報及び／又は上記第２の情報を使って、上記コンテンツのデータを復号化する
ようにしたデータ再生方法。
【請求項３９】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを第２の情報で暗号化して記録し、上記暗号化データ部では上記コンテンツのデータを少なくとも上記第１の情報及び／又は第２の情報で暗号化して記録すると共に、
上記第１の情報で暗号化したデータを復号するための情報の少なくとも一部を、上記平文データ部におけるコンテンツのデータに付加情報として埋め込む
ようにしたデータ記録媒体を再生するデータ再生方法であって、
上記平文データ部のデータを第２の情報を使って復号化し、
上記付加情報から暗号化したデータを復号するための第１の情報の少なくとも一部を抜き出し、
上記暗号化したデータを復号するための第１の情報及び／又は上記第２の情報を使って、上記コンテンツのデータを復号化する
ようにしたデータ再生方法。
【請求項４０】  コンテンツのデータを暗号化して記録する暗号化データ部と、上記暗号化データ部に先行する無情報データ部とを設け、
上記無情報データ部に、上記暗号化したデータを復号するための情報の少なくとも一部を付加情報として埋め込む
ようにしたデータ記録媒体を再生するデータ再生方法であって、
上記付加情報から暗号化したデータを復号するための情報の少なくとも一部を抜き出し、
上記暗号化したデータを復号するための情報を使って、上記コンテンツのデータを復号化する
ようにしたデータ再生方法。
【請求項４１】  コンテンツのデータを暗号化せずに記録する平文データ部と、上記コンテンツのデータを暗号化して記録する暗号化データ部とを設け、
上記平文データ部では上記コンテンツのデータを暗号化せずに記録し、上記暗号化データ部では上記コンテンツのデータを暗号化して記録すると共に、
上記暗号化したデータを復号するための情報の少なくとも一部を、上記平文データ部におけるコンテンツのデータに付加情報として埋め込む
ようにしたデータ記録媒体を再生するデータ再生装置であって、
上記付加情報から暗号化したデータを復号するための情報の少なくとも一部を抜き出す手段と、
上記暗号化したデータを復号するための情報を使って、上記コンテンツのデータを復号化する手段と
を備えるようにしたデータ再生装置。
【請求項４２】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを少なくとも第１の情報では暗号化せずに記録し、上記暗号化データ部では上記コンテンツのデータを上記第１の情報と第２の情報とを関連させて暗号化して記録すると共に、
上記暗号化されたデータを復号するための上記第１の情報の少なくとも一部を、上記平文データ部におけるコンテンツのデータに付加情報として埋め込む
ようにしたデータ記録媒体を再生するデータ再生装置であって、
上記付加情報から暗号化したデータを復号するための第１の情報の少なくとも一部を抜き出す手段と、
上記暗号化したデータを復号するための第１の情報及び／又は上記第２の情報を使って、上記コンテンツのデータを復号化する手段と
を備えるようにしたデータ再生装置。
【請求項４３】  コンテンツのデータを少なくとも第１の情報では暗号化せずに記録する平文データ部と、上記コンテンツのデータを少なくとも第１の情報の一部を使って暗号化して記録する暗号化データ部とを設け、
上記平文データ部では上記コンテンツのデータを第２の情報で暗号化して記録し、上記暗号化データ部では上記コンテンツのデータを少なくとも上記第１の情報及び／又は第２の情報で暗号化して記録すると共に、
上記第１の情報で暗号化したデータを復号するための情報の少なくとも一部を、上記平文データ部におけるコンテンツのデータに付加情報として埋め込む
ようにしたデータ記録媒体を再生するデータ再生装置であって、
上記平文データ部のデータを第２の情報を使って復号化する手段と、
上記付加情報から暗号化したデータを復号するための第１の情報の少なくとも一部を抜き出す手段と、
上記暗号化したデータを復号するための第１の情報及び／又は上記第２の情報を使って、上記コンテンツのデータを復号化する
ようにしたデータ再生装置。
【請求項４４】  上記付加情報には、コピー管理情報及び／又は再生管理情報を含めるようにし、
上記コピー管理情報及び／又は再生管理情報を使って、コピーや再生の管理を行うようにした請求項４１、請求項４２、又は請求項４３に記載のデータ再生装置。
【請求項４５】  上記第２の情報で暗号化したデータを復号するための情報は、サブコードの領域から得るようにした請求項４２、又は請求項４３に記載のデータ再生装置。
【請求項４６】  上記第２の情報で暗号化したデータを復号するための情報は、リードインのデータから得るようにした請求項４２、又は請求項４３に記載のデータ再生装置。
【請求項４７】  上記第２の情報で暗号化したデータを復号するための情報は、ＴＯＣ（Table Of Contents）のデータから得るようにした請求項４２、又は請求項４３に記載のデータ再生装置。
【請求項４８】  上記第２の情報で暗号化したデータを復号するための情報は、トラック又はピットのウォブルデータから得るようにした請求項４２、又は請求項４３に記載のデータ再生装置。
【請求項４９】  コンテンツのデータを暗号化して記録する暗号化データ部と、上記暗号化データ部に先行する無情報データ部とを設け、
上記無情報データ部に、上記暗号化したデータを復号するための情報の少なくとも一部を付加情報として埋め込む
ようにしたデータ記録媒体を再生するデータ再生装置であって、
上記付加情報から暗号化したデータを復号するための情報の少なくとも一部を抜き出し、
上記暗号化したデータを復号するための情報を使って、上記コンテンツのデータを復号化する
ようにしたデータ再生装置。
【請求項５０】  上記無情報データ部には、無音に相当するオーディオデータを記録するようにした請求項４９に記載のデータ再生装置。
【請求項５１】  上記無情報データ部には、固定パターンに相当するビデオデータを記録するようにした請求項４９に記載のデータ再生装置。
【請求項５２】  上記無情報データ部には、ランダムパターンに相当するビデオデータを配置するようにした請求項４９に記載のデータ再生装置。
【請求項５３】  コンテンツのデータに平文データ部と暗号化データ部とを設け、
上記平文データ部では上記コンテンツのデータを暗号化せず、上記暗号化データ部では上記コンテンツのデータを暗号化しておき、
上記暗号化したデータを復号するための情報の少なくとも一部を、上記平文データ部におけるコンテンツのデータに付加情報として埋め込んで送信する
ようにしたデータ送信方法。
【請求項５４】  コンテンツのデータを暗号化して記録する暗号化データ部と、上記暗号化データ部に先行する無情報データ部とを設け、
上記暗号化データ部では上記コンテンツのデータを暗号化しておき、
上記無情報データ部に、上記暗号化したデータを復号するための情報の少なくとも一部を付加情報として埋め込んで送信する
ようにしたデータ送信方法。
【請求項５５】  コンテンツのデータに平文データ部と暗号化データ部とを設け、
上記平文データ部では上記コンテンツのデータを暗号化せず、上記暗号化データ部では上記コンテンツのデータを暗号化する手段と、
上記暗号化したデータを復号するための情報の少なくとも一部を、上記平文データ部におけるコンテンツのデータに付加情報として埋め込んで送信する手段と
からなるようにしたデータ送信装置。
【請求項５６】  コンテンツのデータを暗号化して記録する暗号化データ部と、上記暗号化データ部に先行する無情報データ部とを設け、
上記暗号化データ部では上記コンテンツのデータを暗号化する手段と、
上記無情報データ部に、上記暗号化したデータを復号するための情報の少なくとも一部を付加情報として埋め込んで送信する手段と
からなるようにしたデータ送信装置。
【請求項５７】  コンテンツのデータに平文データ部と暗号化データ部とを設け、
上記平文データ部では上記コンテンツのデータを暗号化せず、上記暗号化データ部では上記コンテンツのデータを暗号化して送信すると共に、
上記暗号化したデータを復号するための情報の少なくとも一部を、上記平文データ部におけるコンテンツのデータに付加情報として埋め込んで送信されてきたデータを受信するデータ受信方法であって、
上記平文データ部で送信されている上記コンテンツのデータを再生すると共に、上記平文データ部における上記コンテンツのデータに上記付加情報として埋め込まれている暗号化したデータを復号するための情報を抜き出し、
上記暗号化したデータを復号するための情報を使って、上記暗号化データ部に暗号化されて送信されてきた上記コンテンツのデータを復号化し、
上記暗号化データ部に送信されてきたコンテンツのデータを再生する
ようにしたデータ受信方法。
【請求項５８】  コンテンツのデータを暗号化して記録する暗号化データ部と、上記暗号化データ部に先行する無情報データ部とを設け、
上記暗号化データ部では上記コンテンツのデータを暗号化しておき、
上記無情報データ部に、上記暗号化したデータを復号するための情報の少なくとも一部を付加情報として埋め込んで送信されてきたデータを受信するデータ受信方法であって、
上記無情報データ部に上記付加情報として埋め込まれている暗号化したデータを復号するための情報を抜き出し、
上記暗号化したデータを復号するための情報を使って、上記暗号化データ部に暗号化されて送信されてきた上記コンテンツのデータを復号化し、
上記暗号化データ部に送信されてきたコンテンツのデータを再生する
ようにしたデータ受信方法。
【請求項５９】  コンテンツのデータに平文データ部と暗号化データ部とを設け、
上記平文データ部では上記コンテンツのデータを暗号化せず、上記暗号化データ部では上記コンテンツのデータを暗号化して送信すると共に、
上記暗号化したデータを復号するための情報の少なくとも一部を、上記平文データ部におけるコンテンツのデータに付加情報として埋め込んで送信されてきたデータを受信するデータ受信装置であって、
上記平文データ部で送信されている上記コンテンツのデータを再生する手段と、
上記平文データ部における上記コンテンツのデータに上記付加情報として埋め込まれている暗号化したデータを復号するための情報を抜き出す手段と、
上記暗号化したデータを復号するための情報を使って、上記暗号化データ部に暗号化されて送信されてきた上記コンテンツのデータを復号化する手段と、
上記暗号化データ部に送信されてきたコンテンツのデータを再生する手段と
を備えるようにしたデータ受信装置。
【請求項６０】  コンテンツのデータを暗号化して記録する暗号化データ部と、上記暗号化データ部に先行する無情報データ部とを設け、
上記暗号化データ部では上記コンテンツのデータを暗号化しておき、
上記無情報データ部に、上記暗号化したデータを復号するための情報の少なくとも一部を付加情報として埋め込んで送信されてきたデータを受信するデータ受信装置であって、
上記無情報データ部に埋め込まれている暗号化したデータを復号するための情報を抜き出す手段と、
上記暗号化したデータを復号するための情報を使って、上記暗号化データ部に暗号化されて送信されてきた上記コンテンツのデータを復号化する手段と、
上記暗号化データ部に送信されてきたコンテンツのデータを再生する手段と
を備えるようにしたデータ受信装置。
【手続補正２】
【補正対象書類名】明細書
【補正対象項目名】００１４
【補正方法】変更
【補正の内容】
【００１４】
請求項４の発明は、コンテンツのデータを暗号化して配置する暗号化データ部と、暗号化データ部に先行する無情報データ部とを設け、
平文データ部にはコンテンツのデータを暗号化せずに配置し、
無情報データ部に、暗号化したデータを復号するための情報の少なくとも一部を付加情報として埋め込む
ようにしたコンテンツデータである。
【手続補正３】
【補正対象書類名】明細書
【補正対象項目名】００１５
【補正方法】変更
【補正の内容】
【００１５】
請求項５の発明は、コンテンツのデータを暗号化せずに記録する平文データ部と、コンテンツのデータを暗号化して記録する暗号化データ部とを設け、
平文データ部ではコンテンツのデータを暗号化せずに記録し、暗号化データ部ではコンテンツのデータを暗号化して記録すると共に、
暗号化したデータを復号するための情報の少なくとも一部を、平文データ部におけるコンテンツのデータに付加情報として埋め込む
ようにしたデータ記録媒体である。
【手続補正４】
【補正対象書類名】明細書
【補正対象項目名】００１６
【補正方法】変更
【補正の内容】
【００１６】
請求項６の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを少なくとも第１の情報では暗号化せずに記録し、暗号化データ部ではコンテンツのデータを第１の情報と第２の情報とを関連させて暗号化して記録すると共に、
暗号化されたデータを復号するための第１の情報の少なくとも一部を、平文データ部におけるコンテンツのデータに付加情報として埋め込む
ようにしたデータ記録媒体である。
【手続補正５】
【補正対象書類名】明細書
【補正対象項目名】００１７
【補正方法】変更
【補正の内容】
【００１７】
請求項７の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを第２の情報で暗号化して記録し、暗号化データ部ではコンテンツのデータを少なくとも第１の情報及び／又は第２の情報で暗号化して記録すると共に、
第１の情報で暗号化したデータを復号するための情報の少なくとも一部を、平文データ部におけるコンテンツのデータに付加情報として埋め込む
ようにしたデータ記録媒体である。
【手続補正６】
【補正対象書類名】明細書
【補正対象項目名】００１８
【補正方法】変更
【補正の内容】
【００１８】
請求項８の発明は、コンテンツのデータを暗号化して記録する暗号化データ部と、暗号化データ部に先行する無情報データ部とを設け、
無情報データ部に、暗号化したデータを復号するための情報の少なくとも一部を付加情報として埋め込む
ようにしたデータ記録媒体である。
【手続補正７】
【補正対象書類名】明細書
【補正対象項目名】００１９
【補正方法】変更
【補正の内容】
【００１９】
請求項９の発明は、コンテンツのデータを暗号化せずに記録する平文データ部と、コンテンツのデータを暗号化して記録する暗号化データ部とを設け、
平文データ部ではコンテンツのデータを暗号化せずに記録し、暗号化データ部ではコンテンツのデータを暗号化して記録すると共に、
暗号化したデータを復号するための情報の少なくとも一部を、平文データ部におけるコンテンツのデータに付加情報として埋め込む
ようにしたデータ記録方法である。
【手続補正８】
【補正対象書類名】明細書
【補正対象項目名】００２０
【補正方法】変更
【補正の内容】
【００２０】
請求項１０の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを少なくとも第１の情報では暗号化せずに記録し、暗号化データ部ではコンテンツのデータを第１の情報と第２の情報とを関連させて暗号化して記録すると共に、
暗号化されたデータを復号するための第１の情報の少なくとも一部を、平文データ部におけるコンテンツのデータに付加情報として埋め込む
ようにしたデータ記録方法である。
【手続補正９】
【補正対象書類名】明細書
【補正対象項目名】００２１
【補正方法】変更
【補正の内容】
【００２１】
請求項１１の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを第２の情報で暗号化して記録し、暗号化データ部ではコンテンツのデータを少なくとも第１の情報及び／又は第２の情報で暗号化して記録すると共に、
第１の情報で暗号化したデータを復号するための情報の少なくとも一部を、平文データ部におけるコンテンツのデータに付加情報として埋め込む
ようにしたデータ記録方法である。
【手続補正１０】
【補正対象書類名】明細書
【補正対象項目名】００２２
【補正方法】変更
【補正の内容】
【００２２】
請求項１２の発明は、コンテンツのデータを暗号化して記録する暗号化データ部と、暗号化データ部に先行する無情報データ部とを設け、
無情報データ部に、暗号化したデータを復号するための情報の少なくとも一部を付加情報として埋め込む
ようにしたデータ記録方法である。
【手続補正１１】
【補正対象書類名】明細書
【補正対象項目名】００２３
【補正方法】変更
【補正の内容】
【００２３】
請求項１３の発明は、コンテンツのデータを暗号化せずに記録する平文データ部と、コンテンツのデータを暗号化して記録する暗号化データ部とを設け、
平文データ部ではコンテンツのデータを暗号化せずに記録し、暗号化データ部ではコンテンツのデータを暗号化して記録する手段と、
暗号化したデータを復号するための情報の少なくとも一部を、平文データ部におけるコンテンツのデータに付加情報として埋め込む手段と
を備えるようにしたデータ記録装置である。
【手続補正１２】
【補正対象書類名】明細書
【補正対象項目名】００２４
【補正方法】変更
【補正の内容】
【００２４】
請求項１４の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを少なくとも第１の情報では暗号化せずに記録し、暗号化データ部ではコンテンツのデータを第１の情報と第２の情報とを関連させて暗号化して記録する手段と、
暗号化されたデータを復号するための第１の情報の少なくとも一部を、平文データ部におけるコンテンツのデータに付加情報として埋め込む手段と
を備えるようにしたデータ記録装置である。
【手続補正１３】
【補正対象書類名】明細書
【補正対象項目名】００２５
【補正方法】変更
【補正の内容】
【００２５】
請求項１５の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを第２の情報で暗号化して記録し、暗号化データ部ではコンテンツのデータを少なくとも第１の情報及び／又は第２の情報で暗号化して記録する手段と、
第１の情報で暗号化したデータを復号するための情報の少なくとも一部を、平文データ部におけるコンテンツのデータに付加情報として埋め込む手段と
を備えるようにしたデータ記録装置である。
【手続補正１４】
【補正対象書類名】明細書
【補正対象項目名】００２６
【補正方法】変更
【補正の内容】
【００２６】
請求項３３の発明は、コンテンツのデータを暗号化して配置する暗号化データ部と、暗号化データ部に先行する無情報データ部とを設け、
無情報データ部に、暗号化したデータを復号するための情報の少なくとも一部を付加情報として埋め込む
ようにしたデータ記録装置である。
【手続補正１５】
【補正対象書類名】明細書
【補正対象項目名】００２７
【補正方法】変更
【補正の内容】
【００２７】
請求項３７の発明は、コンテンツのデータを暗号化せずに記録する平文データ部と、コンテンツのデータを暗号化して記録する暗号化データ部とを設け、
平文データ部ではコンテンツのデータを暗号化せずに記録し、暗号化データ部ではコンテンツのデータを暗号化して記録すると共に、
暗号化したデータを復号するための情報の少なくとも一部を、平文データ部におけるコンテンツのデータに付加情報として埋め込む
ようにしたデータ記録媒体を再生するデータ再生方法であって、
付加情報から暗号化したデータを復号するための情報の少なくとも一部を抜き出し、
暗号化したデータを復号するための情報を使って、コンテンツのデータを復号化する
ようにしたデータ再生方法である。
【手続補正１６】
【補正対象書類名】明細書
【補正対象項目名】００２８
【補正方法】変更
【補正の内容】
【００２８】
請求項３８の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを少なくとも第１の情報では暗号化せずに記録し、暗号化データ部ではコンテンツのデータを第１の情報と第２の情報とを関連させて暗号化して記録すると共に、
暗号化されたデータを復号するための第１の情報の少なくとも一部を、平文データ部におけるコンテンツのデータに付加情報として埋め込む
ようにしたデータ記録媒体を再生するデータ再生方法であって、
付加情報から暗号化したデータを復号するための第１の情報の少なくとも一部を抜き出し、
暗号化したデータを復号するための第１の情報及び／又は第２の情報を使って、コンテンツのデータを復号化する
ようにしたデータ再生方法である。
【手続補正１７】
【補正対象書類名】明細書
【補正対象項目名】００２９
【補正方法】変更
【補正の内容】
【００２９】
請求項３９の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを第２の情報で暗号化して記録し、暗号化データ部ではコンテンツのデータを少なくとも第１の情報及び／又は第２の情報で暗号化して記録すると共に、
第１の情報で暗号化したデータを復号するための情報の少なくとも一部を、平文データ部におけるコンテンツのデータに付加情報として埋め込む
ようにしたデータ記録媒体を再生するデータ再生方法であって、
平文データ部のデータを第２の情報を使って復号化し、
付加情報から暗号化したデータを復号するための第１の情報の少なくとも一部を抜き出し、
暗号化したデータを復号するための第１の情報及び／又は第２の情報を使って、コンテンツのデータを復号化する
ようにしたデータ再生方法である。
【手続補正１８】
【補正対象書類名】明細書
【補正対象項目名】００３０
【補正方法】変更
【補正の内容】
【００３０】
請求項４０の発明は、コンテンツのデータを暗号化して記録する暗号化データ部と、暗号化データ部に先行する無情報データ部とを設け、
無情報データ部に、暗号化したデータを復号するための情報の少なくとも一部を付加情報として埋め込む
ようにしたデータ記録媒体を再生するデータ再生方法であって、
付加情報から暗号化したデータを復号するための情報の少なくとも一部を抜き出し、
暗号化したデータを復号するための情報を使って、コンテンツのデータを復号化する
ようにしたデータ再生方法である。
【手続補正１９】
【補正対象書類名】明細書
【補正対象項目名】００３１
【補正方法】変更
【補正の内容】
【００３１】
請求項４１の発明は、コンテンツのデータを暗号化せずに記録する平文データ部と、コンテンツのデータを暗号化して記録する暗号化データ部とを設け、
平文データ部ではコンテンツのデータを暗号化せずに記録し、暗号化データ部ではコンテンツのデータを暗号化して記録すると共に、
暗号化したデータを復号するための情報の少なくとも一部を、平文データ部におけるコンテンツのデータに付加情報として埋め込む
ようにしたデータ記録媒体を再生するデータ再生装置であって、
付加情報から暗号化したデータを復号するための情報の少なくとも一部を抜き出す手段と、
暗号化したデータを復号するための情報を使って、コンテンツのデータを復号化する手段と
を備えるようにしたデータ再生装置である。
【手続補正２０】
【補正対象書類名】明細書
【補正対象項目名】００３２
【補正方法】変更
【補正の内容】
【００３２】
請求項４２の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを少なくとも第１の情報では暗号化せずに記録し、暗号化データ部ではコンテンツのデータを第１の情報と第２の情報とを関連させて暗号化して記録すると共に、
暗号化されたデータを復号するための第１の情報の少なくとも一部を、平文データ部におけるコンテンツのデータに付加情報として埋め込む
ようにしたデータ記録媒体を再生するデータ再生装置であって、
付加情報から暗号化したデータを復号するための第１の情報の少なくとも一部を抜き出す手段と、
暗号化したデータを復号するための第１の情報及び／又は第２の情報を使って、コンテンツのデータを復号化する手段と
を備えるようにしたデータ再生装置である。
【手続補正２１】
【補正対象書類名】明細書
【補正対象項目名】００３３
【補正方法】変更
【補正の内容】
【００３３】
請求項４３の発明は、コンテンツのデータを少なくとも第１の情報では暗号化せずに記録する平文データ部と、コンテンツのデータを少なくとも第１の情報の一部を使って暗号化して記録する暗号化データ部とを設け、
平文データ部ではコンテンツのデータを第２の情報で暗号化して記録し、暗号化データ部ではコンテンツのデータを少なくとも第１の情報及び／又は第２の情報で暗号化して記録すると共に、
第１の情報で暗号化したデータを復号するための情報の少なくとも一部を、平文データ部におけるコンテンツのデータに付加情報として埋め込む
ようにしたデータ記録媒体を再生するデータ再生装置であって、
平文データ部のデータを第２の情報を使って復号化する手段と、
付加情報から暗号化したデータを復号するための第１の情報の少なくとも一部を抜き出す手段と、
暗号化したデータを復号するための第１の情報及び／又は第２の情報を使って、コンテンツのデータを復号化する
ようにしたデータ再生装置である。
【手続補正２２】
【補正対象書類名】明細書
【補正対象項目名】００３４
【補正方法】変更
【補正の内容】
【００３４】
請求項４９の発明は、コンテンツのデータを暗号化して記録する暗号化データ部と、暗号化データ部に先行する無情報データ部とを設け、
無情報データ部に、暗号化したデータを復号するための情報の少なくとも一部を付加情報として埋め込む
ようにしたデータ記録媒体を再生するデータ再生装置であって、
付加情報から暗号化したデータを復号するための情報の少なくとも一部を抜き出し、
暗号化したデータを復号するための情報を使って、コンテンツのデータを復号化する
ようにしたデータ再生装置である。
【手続補正２３】
【補正対象書類名】明細書
【補正対象項目名】００３５
【補正方法】変更
【補正の内容】
【００３５】
請求項５３の発明は、コンテンツのデータに平文データ部と暗号化データ部とを設け、
平文データ部ではコンテンツのデータを暗号化せず、暗号化データ部ではコンテンツのデータを暗号化しておき、
暗号化したデータを復号するための情報の少なくとも一部を、平文データ部におけるコンテンツのデータに付加情報として埋め込んで送信する
ようにしたデータ送信方法である。
【手続補正２４】
【補正対象書類名】明細書
【補正対象項目名】００３６
【補正方法】変更
【補正の内容】
【００３６】
請求項５４の発明は、コンテンツのデータを暗号化して記録する暗号化データ部と、暗号化データ部に先行する無情報データ部とを設け、
暗号化データ部ではコンテンツのデータを暗号化しておき、
無情報データ部に、暗号化したデータを復号するための情報の少なくとも一部を付加情報として埋め込んで送信する
ようにしたデータ送信方法である。
【手続補正２５】
【補正対象書類名】明細書
【補正対象項目名】００３７
【補正方法】変更
【補正の内容】
【００３７】
請求項５５の発明は、コンテンツのデータに平文データ部と暗号化データ部とを設け、
平文データ部ではコンテンツのデータを暗号化せず、暗号化データ部ではコンテンツのデータを暗号化する手段と、
暗号化したデータを復号するための情報の少なくとも一部を、平文データ部におけるコンテンツのデータに付加情報として埋め込んで送信する手段と
からなるようにしたデータ送信装置である。
【手続補正２６】
【補正対象書類名】明細書
【補正対象項目名】００３８
【補正方法】変更
【補正の内容】
【００３８】
請求項５６の発明は、コンテンツのデータを暗号化して記録する暗号化データ部と、暗号化データ部に先行する無情報データ部とを設け、
暗号化データ部ではコンテンツのデータを暗号化する手段と、
無情報データ部に、暗号化したデータを復号するための情報の少なくとも一部を付加情報として埋め込んで送信する手段と
からなるようにしたデータ送信装置である。
【手続補正２７】
【補正対象書類名】明細書
【補正対象項目名】００３９
【補正方法】変更
【補正の内容】
【００３９】
請求項５７の発明は、コンテンツのデータに平文データ部と暗号化データ部とを設け、
平文データ部ではコンテンツのデータを暗号化せず、暗号化データ部ではコンテンツのデータを暗号化して送信すると共に、
暗号化したデータを復号するための情報の少なくとも一部を、平文データ部におけるコンテンツのデータに付加情報として埋め込んで送信されてきたデータを受信するデータ受信方法であって、
平文データ部で送信されているコンテンツのデータを再生すると共に、平文データ部におけるコンテンツのデータに付加情報として埋め込まれている暗号化したデータを復号するための情報を抜き出し、
暗号化したデータを復号するための情報を使って、暗号化データ部に暗号化されて送信されてきたコンテンツのデータを復号化し、
暗号化データ部に送信されてきたコンテンツのデータを再生する
ようにしたデータ受信方法である。
【手続補正２８】
【補正対象書類名】明細書
【補正対象項目名】００４０
【補正方法】変更
【補正の内容】
【００４０】
請求項５８の発明は、コンテンツのデータを暗号化して記録する暗号化データ部と、暗号化データ部に先行する無情報データ部とを設け、
暗号化データ部ではコンテンツのデータを暗号化しておき、
無情報データ部に、暗号化したデータを復号するための情報の少なくとも一部を付加情報として埋め込んで送信されてきたデータを受信するデータ受信方法であって、
無情報データ部に付加情報として埋め込まれている暗号化したデータを復号するための情報を抜き出し、
暗号化したデータを復号するための情報を使って、暗号化データ部に暗号化されて送信されてきたコンテンツのデータを復号化し、
暗号化データ部に送信されてきたコンテンツのデータを再生する
ようにしたデータ受信方法である。
【手続補正２９】
【補正対象書類名】明細書
【補正対象項目名】００４１
【補正方法】変更
【補正の内容】
【００４１】
請求項５９の発明は、コンテンツのデータに平文データ部と暗号化データ部とを設け、
平文データ部ではコンテンツのデータを暗号化せず、暗号化データ部ではコンテンツのデータを暗号化して送信すると共に、
暗号化したデータを復号するための情報の少なくとも一部を、平文データ部におけるコンテンツのデータに付加情報として埋め込んで送信されてきたデータを受信するデータ受信装置であって、
平文データ部で送信されているコンテンツのデータを再生する手段と、
平文データ部におけるコンテンツのデータに付加情報として埋め込まれている暗号化したデータを復号するための情報を抜き出す手段と、
暗号化したデータを復号するための情報を使って、暗号化データ部に暗号化されて送信されてきたコンテンツのデータを復号化する手段と、
暗号化データ部に送信されてきたコンテンツのデータを再生する手段と
を備えるようにしたデータ受信装置である。
【手続補正３０】
【補正対象書類名】明細書
【補正対象項目名】００４２
【補正方法】変更
【補正の内容】
【００４２】
請求項６０の発明は、コンテンツのデータを暗号化して記録する暗号化データ部と、暗号化データ部に先行する無情報データ部とを設け、
暗号化データ部ではコンテンツのデータを暗号化しておき、
無情報データ部に、暗号化したデータを復号するための情報の少なくとも一部を付加情報として埋め込んで送信されてきたデータを受信するデータ受信装置であって、
無情報データ部に埋め込まれている暗号化したデータを復号するための情報を抜き出す手段と、
暗号化したデータを復号するための情報を使って、暗号化データ部に暗号化されて送信されてきたコンテンツのデータを復号化する手段と、
暗号化データ部に送信されてきたコンテンツのデータを再生する手段と
を備えるようにしたデータ受信装置である。